(57)【要約】【課題】自動スクロール機能を有する情報配信システムを提供する。【解決手段】サーバ３は、携帯電話１１にアプリケーションソフト７と電子出版物等のデータ９を配信し、携帯電話１１は、アプリケーションソフト７を起動し、配信されたデータ９を、自動的にスクロールさせながら、グラディエーションを施し表示する。例えば、文字方向３３（縦書き）、背景色３７（黒）の場合、アプリケーションソフト７は、スクロール開始行の前の行までの複数の行４２に対して、文字の色４３を白色に設定し、指定されたグラディエーション開始行４５からグラディエーション開始行の次々行４９に対して、文字の色４３を、最も白に近い灰色から、灰色、最も黒に近い灰色と、一文字ずつ除々にグラディエーションを施し背景色（黒）に近づけて設定し表示する。【選択図】  図９
2004213443.tif 000002
【特許請求の範囲】
【請求項１】
サーバと携帯端末とからなり、
前記サーバは、データを配信する配信手段を具備し、
前記携帯端末は、配信された前記データを、自動的にスクロールさせて表示する表示手段を、
を具備することを特徴とする情報配信システム。
【請求項２】
サーバと携帯端末とからなり、
前記サーバは、データを配信する配信手段を具備し、
前記携帯端末は、配信された前記データにグラディエーションを施して表示する表示手段を、
具備することを特徴とする情報配信システム。
【請求項３】
サーバと携帯端末とからなり、
前記サーバは、データを配信する配信手段を具備し、
前記携帯端末は、配信された前記データを音声に変換して出力する出力手段を、
具備することを特徴とする情報配信システム。
【請求項４】
サーバと、ネットワークを介して接続する携帯端末であって、
前記携帯端末は、前記サーバから配信された前記データを、自動的にスクロールさせて表示する表示手段を、
を具備することを特徴とする携帯端末。
【請求項５】
サーバと、ネットワークを介して接続する携帯端末であって、
前記携帯端末は、前記サーバから配信された前記データにグラディエーションを施して表示する表示手段を、
具備することを特徴とする携帯端末。
【請求項６】
サーバと、ネットワークを介して接続する携帯端末であって、
前記携帯端末は、前記サーバから配信された前記データを音声に変換して出力する出力手段を、
具備することを特徴とする携帯端末。
【請求項７】
コンピュータを請求項４から請求項６のいずれかに記載の携帯端末として機能させるプログラム。
【請求項８】
コンピュータを請求項４から請求項６のいずれかに記載の携帯端末として機能させるプログラムを記録した記録媒体。
【発明の詳細な説明】
【０００１】
【発明の属する技術分野】
本発明は、携帯端末を用いた情報配信システム、携帯端末等に関するものである。
【０００２】
【従来の技術】
昨今、インターネット等に代表されるネットワーク技術が急速に普及し、インターネットに接続される携帯電話、ＰＨＳ等の携帯端末が活用されており、インターネットを介してアプリケーションプログラムやデータの提供を行うサービスが広がり、データ提供として、電子出版等のデータ配信サービスが幾つか存在する（例えば、特許文献１参照）。
【０００３】
【特許文献１】
特開２００２−１６９７４５号公報
【０００４】
【発明が解決しようとする課題】
しかしながら、電子出版等の情報配信サービスにおいて、携帯端末で配信された文章を読む場合、手動で画面をスクロールすることは、その度にボタンを押さなければならず手間がかかり、読みやすさに欠けていた。
【０００５】
本発明は、以上の点に鑑みてなされたものであり、自動スクロール機能を有する情報配信システムを提供することを目的とする。
【０００６】
【課題を解決するための手段】
前述した目的を達成するために第１の発明は、サーバと携帯端末とからなり、前記サーバは、データを配信する配信手段を具備し、前記携帯端末は、配信された前記データを、自動的にスクロールさせて表示する表示手段を、を具備することを特徴とする情報配信システムである。
【０００７】
第１の発明では、サーバは、データを配信し、携帯端末は、配信されたデータを、自動的にスクロールさせて表示する。
【０００８】
また、第２の発明は、サーバと携帯端末とからなり、前記サーバは、データを配信する配信手段を具備し、前記携帯端末は、配信された前記データにグラディエーションを施して表示する表示手段を、具備することを特徴とする情報配信システムである。
【０００９】
第２の発明では、サーバは、データを配信し、携帯端末は、配信されたデータにグラディエーションを施して表示する。
【００１０】
また、第３の発明は、サーバと携帯端末とからなり、前記サーバは、データを配信する配信手段を具備し、前記携帯端末は、配信された前記データを音声に変換して出力する出力手段を、具備することを特徴とする情報配信システムである。
【００１１】
第３の発明では、サーバは、データを配信し、携帯端末は、配信されたデータを音声に変換して出力する。
【００１２】
「サーバ」は、サーバコンピュータ等である。
「携帯端末」は、携帯電話、ＰＨＳ、携帯型端末機等である。
【００１３】
また、第４の発明は、サーバと、ネットワークを介して接続する携帯端末であって、前記携帯端末は、前記サーバから配信された前記データを、自動的にスクロールさせて表示する表示手段を、を具備することを特徴とする携帯端末である。
第４の発明は、第１の発明の情報配信システムで用いられる携帯端末に関する発明である。
【００１４】
また、第５の発明は、サーバと、ネットワークを介して接続する携帯端末であって、前記携帯端末は、前記サーバから配信された前記データにグラディエーションを施して表示する表示手段を、具備することを特徴とする携帯端末である。第５の発明は、第２の発明の情報配信システムで用いられる携帯端末に関する発明である。
【００１５】
また、第６の発明は、サーバと、ネットワークを介して接続する携帯端末であって、前記携帯端末は、前記サーバから配信された前記データを音声に変換して出力する出力手段を、具備することを特徴とする携帯端末である。
第６の発明は、第３の発明の情報配信システムで用いられる携帯端末に関する発明である。
【００１６】
第７の発明は、コンピュータを第４の発明から第６の発明いずれかの処理端末装置として機能させるプログラムである。
第８の発明は、コンピュータを第４の発明から第６の発明いずれかの処理端末装置として機能させるプログラムを記録した記録媒体である。
【００１７】
上述のプログラムをＣＤ−ＲＯＭ等の記録媒体に保持させて流通させてもよいし、このプログラムを通信回線を介して送受することもできる。
【００１８】
【発明の実施の形態】
以下に、添付図面を参照しながら、本発明に係る情報配信システム１の好適な実施形態について詳細に説明する。なお、以下の説明及び添付図面において、同一の機能構成を有する構成要素については、同一の符号を付することにより重複説明を省略することにする。
【００１９】
図１は、本実施の形態に係る情報配信システム１の概略構成を示す図である。図１に示すように、情報配信システム１は、ネットワーク２、サーバ３、携帯電話１１等からなる。情報配信システム１は、例えば公衆回線などのネットワーク２を介して、サーバ３と、携帯電話１１とが接続されて構成されている。
【００２０】
サーバ３は、データベース５を有し、携帯電話１１からの利用者登録を行い、アプリーケーションソフト７やデータ９を携帯電話１１に配信する。データベース５には、アプリケーションソフト７と、データ９を保持する。アプリケーションソフト７は、携帯電話１１で起動され、配信されたデータ９を表示するブラウザである。データ９は、携帯電話１１に配信される電子出版物（例えば、小説）等のデータである。尚、アプリケーションソフト７は、データベース５に保持されない場合もある。
【００２１】
携帯電話１１は、ネットワーク２を介して、サーバ３と接続され、サーバ３からダウンロードしたアプリケーションソフト７を起動し、配信されたデータ９を表示する。
【００２２】
次に、携帯電話１１の構成を示す。図２は、携帯電話１１の構成を示す。図２に示すように、携帯電話１１は、表示画面１３、実行ボタン１５、メニュー選択ボタン１７、トップ／終了ボタン１８、機能／ヘルプボタン１９等を有する。表示画面１３は、データ９やメニュー等を表示する。実行ボタン１５は、選択したメニューを実行する。メニュー選択ボタン１７は、表示されたメニューの選択や、手動スクロールを行う。携帯電話１１では、ダウンロードされたアプリケーションソフト７が、データ９の自動スクロール表示等を行う。トップ／終了ボタン１８は、機能画面３０でのトップ画面２０の表示や、トップ画面２０でのアプリケーションソフト７の終了を行う。機能／ヘルプボタン１９は、本文画面での機能画面３０の表示や、機能画面３０でのヘルプ画面を表示を行う。
【００２３】
次に、情報配信システム１の処理の流れについて説明する。図３は、情報配信システム１の処理の流れを示すフローチャートである。図４は、トップ画面２０を示す。図５は、機能画面３０を示す。
【００２４】
予め、携帯電話１１を有する利用者は、利用者の個人情報（例えば、氏名、携帯電話番号、メールアドレス、配信料金を支払う口座番号等）を入力してサーバ３に利用者登録を行う。サーバ３は利用者登録を行い、携帯電話１１にＩＤを発行する。利用者は、携帯電話１１を介して、ＩＤを入力し、サーバ３からアプリケーションソフト７やデータ９をダウンロードする。
サーバ３は、アプリケーションソフト７、データ９の配信に対して、配信する作品毎の課金処理を行う。
【００２５】
図３に示すように、サーバ３は、携帯電話１１からの要求に対して、受信したＩＤを確認し、携帯電話１１に、データベース５からアプリケーションソフト７と該当するデータ９を送信する（ステップ３０１）。
尚、予め、サーバ３は、携帯電話１１にアプリケーションソフト７を送信し、その後、随時、携帯電話１１からのデータ９のダウンロード要求に対して、該当するデータ９を、送信してもよい。
【００２６】
携帯電話１１は、ネットワーク２を介して、サーバ３からアプリケーションソフト７とデータ９をダウンロードする（ステップ３０２）。
【００２７】
即ち、携帯電話１１は、アプリケーションソフト７を起動し、図４に示すように、アプリケーションソフト７は、表示画面１３上にダウンロードしたいデータ９に応じたトップ画面２０を表示する。利用者は、携帯電話１１を介して、作品２１を選択し、実行ボタン１５を押す。
尚、ダウンロードしたいデータ９が複数ある場合、例えば、トップ画面２０の作品２１の下に「あさよむ文庫へ」メニューがあり、これを選択すると、アプリケーションソフト７は、サーバ３から別の作品のデータ９をダウンロードする。
【００２８】
次に、図５に示すように、アプリケーションソフト７は、機能画面３０を表示する。機能画面３０では、スクロール機能３１、文字方向３３、文字の大きさ３５、背景色３７、表示速度３９等のメニューが表示される。スクロール機能３１は、自動スクロール／手動スクロールを指定する。自動スクロールは、指定した表示速度３９に従って、自動的にスクロールして文章を表示する。手動スクロールは、メニュー選択ボタン１７を押すことにより、手動でスクロール表示する。文字方向３３は、文章の縦書き／横書きを指定する。文字の大きさ３５は、例えば、大、中、小を指定する。背景色３７は、画面の背景色である黒／白等を指定する。表示速度３９は、スクロール機能３１で自動スクロールを設定した時の表示速度であり、例えば、５段階の速い、やや速い、普通、やや遅い、遅い等を指定する。
【００２９】
図６は、文字方向３３（横書き）、文字の大きさ３５（小）、背景色３７（白）の場合の表示画面を示す。図７は、文字方向３３（縦書き）、文字の大きさ３５（小）、背景色３７（黒）の場合の表示画面を示す。
【００３０】
図６に示すように、例えば、文字方向３３（横書き）、文字の大きさ（小）、背景色３７（白）を指定すると、アプリケーションソフト７は、表示画面１３上に、背景が白の横書きの文章（文字の大きさ：小さめ）を表示する。また、図７に示すように、文字方向３３（縦書き）、文字の大きさ（小）、背景色３７（黒）を指定すると、アプリケーションソフト７は、表示画面１３上に、背景が黒の縦書きの文章（文字の大きさ：小さめ）を表示する。
尚、図６、図７は、手動スクロールの場合の表示例である。
【００３１】
自動スクロールを行う場合（ステップ３０３がＹｅｓの場合）、利用者は、携帯電話１１を介して、機能画面３０に従って、スクロール機能３１（自動スクロール）、文字方向３３、文字の大きさ３５、背景色３７、表示速度３９等を設定し（ステップ３０４、実行ボタン１５を押す（ステップ３０５）。
【００３２】
アプリケーションソフト７は、表示画面１３上に、設定された表示速度３９に従って、スクロールしながら文章を表示する（ステップ３０６）。
図８は、自動スクロールの表示画面を示す。図８に示すように、例えば、利用者が、携帯電話１１を介して、スクロール機能３１（自動スクロール）、文字方向３３（縦書き）、文字の大きさ（小）、背景色３７（黒）を指定した場合、アプリケーションソフト７は、表示画面１３上に、自動的にスクロールしながら、グラディエーションを施したグラディエーション部４０を表示する。表示文章は、表示速度３９に従ってスクロールされながら、順次浮き出てくる。
【００３３】
次にグラディエーションについて説明する。図９は、図８に対応しており、図８のグラディエーションの説明図である。図９に示すように、例えば、文字方向３３（縦書き）、背景色３７（黒）の場合、アプリケーションソフト７は、スクロール方向先頭から画面中央の指定されたスクロール開始行の前の行までの複数の行４２に対して、文字の色４３を白色に設定し、指定されたグラディエーション開始行４５、グラディエーション開始行の次の行４７、グラディエーション開始行の次々行４９に対して、文字の色４３を、最も白に近い灰色から、灰色、最も黒に近い灰色と、一文字ずつ除々にグラディエーションを施し背景色（黒）に近づけて設定し、表示する。
【００３４】
尚、本実施の形態では、背景色（黒）の場合を説明したが、背景色（白）の場合は、アプリケーションソフト７は、グラディエーション開始行４５、グラディエーション開始行の次の行４７、グラディエーション開始行の次々行４９に対して、文字の色４３を黒色から最も黒に近い灰色、灰色、最も白に近い灰色と、一文字ずつ除々にグラディエーションを施し、背景色（白）に近づけて設定しスクロール表示する。
【００３５】
スクロールの表示速度３９を変更する場合（ステップ３０７のＹｅｓの場合）、利用者は、携帯電話１１のメニュー選択ボタン１９のいずれかを押すことにより、アプリケーションソフト７は、ステップ３０４に移行し、機能画面３０を表示し、利用者は、再度、表示速度３９を設定し、実行ボタン１５を押す。
【００３６】
作品（データ９）の表示が終了するまで（ステップ３０８のＮｏの場合）、アプリケーションソフト７は、ステップ３０６からステップ３０８を繰り返す。作品（データ９）の表示が終了すると（ステップ３０８のＹｅｓの場合）、機能画面３０に戻る。
尚、図６や図７の本文画面で、機能／ヘルプボタン１９を押すことにより、アプリケーションソフト８は、本文画面から機能画面３０へ戻る。その際は、直前に表示されていた文章が保存される（しおり機能）。
【００３７】
また、手動スクロールを行う場合（ステップ３０３のＮｏの場合）、利用者は、携帯電話１１を介して、機能画面３０に従って、スクロール機能３１（手動スクロール）、文字方向３３、文字の大きさ３５、背景色３７等を設定し（ステップ３０９）、実行ボタン１５を押す（ステップ３１０）。アプリケーションソフト７は、表示画面１３上に、文章を表示し、メニュー選択ボタン１７を押すことにより、手動でスクロールする（ステップ３１１）。例えば、メニュー選択ボタン１７の左、または下キーで次の文章を表示し、メニュー選択ボタン１７の右、または上キーで前の文章を表示する。
【００３８】
作品（データ９）の表示が終了するまで（ステップ３１２のＮｏの場合）、アプリケーションソフト７は、ステップ３１１、ステップ３１２を繰り返す。作品（データ９）の表示が終了すると（ステップ３１２のＹｅｓの場合）、例えば、メニュー選択ボタン１７の左、または下キーを押すことにより、機能画面３０に戻る。
尚、利用者が図６や図７の本文画面で、機能／ヘルプボタン１９を押すことにより、アプリケーションソフト８は、本文画面から機能画面３０へ戻る。その際は、直前に表示されていた文章が保存される（しおり機能）。
【００３９】
利用者が機能画面３０でトップ／終了ボタン１８を押すことにより、アプリケーションソフト７は、トップ画面２０を表示する。更に、利用者がトップ画面２０でトップ／終了ボタン１８を押すことにより、アプリケーションソフト７は終了する。尚、アプリケーションソフト７は、終了する際、終了時における機能画面３０での設定を保存するか否かを選択する。
【００４０】
以上説明したように、本発明の本実施の形態によれば、サーバ３は、携帯電話１１にアプリケーションソフト７とデータ９を配信し、携帯電話１１は、ダウンロードしたアプリケーションソフト７を起動し、配信されたデータ９を、自動的にスクロールさせながら、グラディエーションを施して表示する。
【００４１】
これにより、電子出版物等のデータ配信サービスにおいて、グラディエーションを施した自動スクロール表示が可能となり、読みやすさを向上させる。また、データの提供毎に課金処理を行うことにより、運営者は、データ量に応じた対価を得ることができる。
【００４２】
また、本実施の形態では、配信されたデータ９を携帯電話１１の表示画面１３上に表示させたが、更に、配信されたデータ９を音声に変換して出力してもよい。
この場合、アプリケーションソフト７がデータ９を音声に変換する機能を持つ。
【００４３】
以上、添付図面を参照しながら、本発明に係る情報配信システム１の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００４４】
【発明の効果】
以上、詳細に説明したように本発明によれば、自動スクロール機能を有する情報配信システムを提供することができる。
【図面の簡単な説明】
【図１】本実施の形態に係る情報配信システム１の概略構成を示す図
【図２】携帯電話１１の構成を示す図
【図３】情報配信システム１の処理の流れを示すフローチャート
【図４】トップ画面２０を示す図
【図５】機能画面３０を示す図
【図６】文字方向３３（横書き）、文字の大きさ３５（小）、背景色３７（白）の場合の表示画面を示す図
【図７】文字方向３３（縦書き）、文字の大きさ３５（小）、背景色３７（黒）の場合の表示画面を示す図
【図８】自動スクロールの表示画面を示す図
【図９】図８のグラディエーションの説明図
【符号の説明】
１………情報配信システム
２………ネットワーク
３………サーバ
５………データベース
７………アプリケーションソフト
９………データ
１１………携帯電話
１３………表示画面
１５………実行ボタン
１７………メニュー選択ボタン
１８………トップ／終了ボタン
１９………機能／ヘルプボタン
【図１】
2004213443.tif 000003
【図２】
2004213443.tif 000004
【図３】
2004213443.tif 000005
【図４】
2004213443.tif 000006
【図５】
2004213443.tif 000007
【図６】
2004213443.tif 000008
【図７】
2004213443.tif 000009
【図８】
2004213443.tif 000010
【図９】
2004213443.tif 000011